(57)【要約】【課題】意匠性および清掃性の向上を図った開口部装置を提供する。【解決手段】開口部装置１は、建物の開口に設けられる枠体２と、この枠体２内に開閉自在に設けられる戸体３とを備えている。前記戸体３にはガラス９を装着した採光部１０が設けられ、前記戸体３の室外面には前記採光部１０を覆うように採光部４４を有するかまたは透光性を有するパネル２５を装着した装飾部材２６が設けられている。この装飾部材２６が戸体３に対して開閉可能に設けられている。これにより意匠性および清掃性の向上を図れる。【選択図】　　　　　図３
2004027639.tif 000002
【特許請求の範囲】
【請求項１】
建物の開口に設けられる枠体と、この枠体内に開閉自在に設けられる戸体とを備え、前記戸体にはガラスを装着した採光部が設けられ、前記戸体の室外面には前記採光部を覆うように採光部を有するかまたは透光性を有するパネルを装着した装飾部材が設けられ、この装飾部材が戸体に対して開閉可能に設けられていることを特徴とする開口部装置。
【発明の詳細な説明】
【０００１】
【発明の属する技術分野】
本発明は、開口部装置に係り、特に意匠性および清掃性の向上を図った開口部装置に関する。
【０００２】
【従来の技術】
建物の開口に設けられる枠体と、この枠体内に開閉自在に設けられる戸体とを備えた開口部装置としては、例えば玄関ドア等のドア（ドア装置）がある。このドアとしては、戸体（扉体）に、ガラスを装着した採光部を設けてなるものが知られている。また、前記採光部の周縁部に額縁を設け、意匠性ないし外観の向上を図ったものも知られている。
【０００３】
【発明が解決しようとする課題】
しかしながら、前記開口部装置においては、これ以上意匠性の向上を図る上で限界があった。なお、この課題を解決すべく前記戸体の室外面に前記採光部を覆うように装飾部材を設ける試みが本発明者によりなされているが、採光部に装飾部材を設けると、採光部のガラスが汚れたときなどにガラス面を清掃することができなくなる問題がある。
【０００４】
本発明は、前記事情を考慮してなされたもので、意匠性および清掃性の向上が図れる開口部装置を提供することを目的とする。
【０００５】
【課題を解決するための手段】
本発明の開口部装置は、建物の開口に設けられる枠体と、この枠体内に開閉自在に設けられる戸体とを備え、前記戸体にはガラスを装着した採光部が設けられ、前記戸体の室外面には前記採光部を覆うように採光部を有するかまたは透光性を有するパネルを装着した装飾部材が設けられ、この装飾部材が戸体に対して開閉可能に設けられていることを特徴とする。
【０００６】
【発明の実施の形態】
以下に、本発明の実施の形態を添付図面に基いて詳述する。図１は本発明に係る開口部装置の実施の形態を示す図で、（ａ）は室内側正面図、（ｂ）は室外側正面図、図２は戸体の縦断面図、図３は戸体の横断面図、図４は図２のＡ部拡大断面図、図５は図３のＢ部拡大断面図、図６は図３のＣ部拡大断面図、図７はヒンジ部上端の固定構造を示す分解斜視図である。
【０００７】
図１において、１は開口部装置として例示したドアで、このドア１は建物の開口に設けられる枠体２と、この枠体２内に開閉自在に設けられる戸体３とを備えている。枠体２は、上枠２ａ、下枠２ｂおよび左右の縦枠２ｃ，２ｄからなっている。戸体３の一側（吊元側）が対向する縦枠２ｄにヒンジ４を介して連結され、戸体３がヒンジ４を支点に室外側に回動して開くようになっている。
【０００８】
実施例の戸体３は、図２〜図６に示すように、鋼板からなる室外側表面材５および室内側表面材６の間に形材からなる芯材７を介在させると共に断熱材８を発泡充填して構成されており、いわゆるフラッシュドアからなっている。戸体３には、ガラス（ガラスパネル）９を装着した採光部１０が設けられている。戸体３には採光部１０となる開口部１１が形成され、この開口部１１にガラス９が装着されている。実施例の開口部１１は戸体３の略中央部に上下方向に長尺の長方形に形成され、戸体３の略中央に縦長の採光部１０を形成している。ガラス９としては、断熱性を有する複層ガラス（ペアガラスともいう）が好ましい。
【０００９】
戸体３の開口部１１の周縁部にはガラス９を装着するための額縁１２が設けられている。この額縁１２は、室外側からガラス９を押える押え部１３を有する例えばアルミ形材からなる室外側額縁１４と、室内側からガラス９を押える例えば樹脂形材からなる室内側額縁１５とからなり、両額縁１４，１５が室内側から固着具であるネジ１６で締結されている。前記室外側額縁１４は、上額縁１４ａ、下額縁１４ｂおよび左右の縦額縁１４ｃ，１４ｄからなり（組立てられ）、両縦額縁１４ｃ，１４ｄの上下端部（上端部および下端部）は戸体３の上下端（上端および下端）近傍までそれぞれ延出されている。
【００１０】
縦額縁１４ｃ，１４ｄには戸体３の室外面に当接される当接リブ１７が長手方向に沿って形成され、この当接リブ１７が戸体３の室外面に当接されてネジ１８により適宜ピッチ間隔で固定されている。また、上額縁１４ａおよび下額縁１４ｂには両縦額縁１４ｃ，１４ｄ間の幅で戸体３の室外面を覆う幅木１９，１９がそれぞれ形成されており、幅木１９の左右両端部は縦額縁１４ｃ，１４ｄによって戸体３の室外面に押し付けられている。
【００１１】
前記室内側額縁１５は、上額縁１５ａ、下額縁１５ｂおよび左右の縦額縁１５ｃ，１５ｄからなり（組立てられ）、これら上額縁１５ａ、下額縁１５ｂおよび左右の縦額縁１５ｃ，１５ｄには例えばアルミ形材からなるカバー材２０ａ，２０ｂ，２０ｃ，２０ｄがそれぞれ着脱自在に装着されている。上額縁１５ａ、下額縁１５ｂおよび左右の縦額縁１５ｃ，１５ｄの隣り合う端部同士は、コーナーピース（図示省略）を介して連結されていることが好ましい。カバー材２０ａ，２０ｂ，２０ｃ，２０ｄを取付けるために、室内側額縁１５には前記ネジ１６を利用して断面略コ字状で両側縁部に係止部２１を有する取付形材２２が設けられ、カバー材２０ａ，２０ｂ，２０ｃ，２０ｄには前記係止部２１に係止される被係止部２３が形成されている。
【００１２】
カバー材２０ａ，２０ｂ，２０ｃ，２０ｄは、隣り合う端部同士が突き合わされて継目が留めになるよう端部が４５度の角度で斜めに切断されている。カバー部材２０ａ，２０ｂ，２０ｃ，２０ｄの端部同士の継目の表面には、カバー部材２０ａ，２０ｂ，２０ｃ，２０ｄの端部同士の継目に生じる隙間や段差を覆い隠すために樹脂製の補助カバー２４が取付けられていることが好ましい。
【００１３】
そして、前記戸体３の室外面には前記採光部１０を覆うように採光性を有するパネル２５を装着した装飾部材２６が設けられ、この装飾部材２６が戸体３に対して一側のヒンジ５０を介して開閉可能に設けられている。装飾部材２６は、上下の幅木１９，１９を含む室外側額縁１４を覆い隠す大きさに形成されている。この装飾部材２６は、例えばアルミ形材からなる上框２７ａ、下框２７ｂおよび左右の縦框２７ｃ，２７ｄを框組してなる框体２７と、この框体２７内に装着されたパネル２５とから主に構成されており、装飾障子部材とも言う。パネル２５として、本実施例では表面に模様を所定の手段例えば印刷等により施した装飾性を有するガラスパネルが用いられている。パネル２５は装飾パネルとも言う。
【００１４】
上框２７ａ、下框２７ｂおよび左右の縦框２７ｃ，２７ｄは中空材からなることが強度上好ましい。上框２７ａ、下框２７ｂおよび左右の縦框２７ｃ，２７ｄは、隣り合う端部同士が突き合わされて継目が留めになるよう端部が４５度の角度で斜めに切断されている。上框２７ａ、下框２７ｂおよび左右の縦框２７ｃ，２７ｄは、隣り合う端部同士が中空部３０に差し込まれる例えば樹脂製のＬ字状のコーナーピース（図示省略）を介して連結されている。
【００１５】
上框２７ａ、下框２７ｂおよび左右の縦框２７ｃ，２７ｄの隣り合う端部同士の継目の表面には、端部同士の継目に生じる隙間や段差を覆い隠すために樹脂製の補助カバー３１が取付けられていることが好ましい（図７参照）。隣り合う上框２７ａ、下框２７ｂおよび左右の縦框２７ｃ，２７ｄの対向内側部に形成された装着溝３２には、パネル２５の縁部が樹脂製のグレーチングチャンネル３３を介して嵌合装着されている。硬質樹脂製のグレーチングチャンネル３３によってパネル２５の支持強度が確保されている。
【００１６】
室外側額縁１４における縦額縁１４ｃ，１４ｄの外側縁部には断面略Ｃ字状の内ヒンジ部３４が長手方向に沿って形成され、装飾部材２６の一側部である縦框１５ｄの裏面部には前記内ヒンジ部３４の外周面に摺動自在に嵌合する断面略Ｃ字状の外ヒンジ部３５が長手方向に沿って形成されている。前記内ヒンジ部３４は、戸体３の室外面と平行なリブ状の脚部（付根部ともいう）３６を介して縦額縁１４ｃ，１４ｄの外側縁部に一体形成されていることが好ましい。
【００１７】
内ヒンジ部３４と外ヒンジ部３５によって前記ヒンジ５０が構成されており、このヒンジ５０を支点に装飾部材２６が戸体３の室外面と平行な閉位置から室外側に所定の角度例えば６０度程度に開いた開位置まで回動可能、すなわち開閉可能に構成されている。なお、脚部３６を含む内ヒンジ部３４は、吊元側の縦額縁１４ｄにのみ形成されており、戸先側の縦額縁１４ｃには形成されていないか、形成されていたとしても切除されている。戸先側の縦框２７ｃとして吊元側の縦框２７ｄと同様、外ヒンジ部３５を有するものが用いられており、左右の縦框２７ｃ，２７ｄの共用化ないし共通化が図られている。
【００１８】
前記内ヒンジ部３４の上端部および下端部には、外ヒンジ部３５が上方または下方に引き抜けるのを防止するために、ストッパーとしてのネジ３７，３７がそれぞれ捩じ込まれている（図７参照）。この場合、外ヒンジ部３５は内ヒンジ部３４と略同じ長さとされている。また、ネジ３７は内ヒンジ部３４と外ヒンジ部３５の相対的回動を阻害しない締付け力で捩じ込まれている。外ヒンジ部３５が形成された縦框２７ｄの端部が斜め４５度で切断されているが、外ヒンジ部３５の端部は内ヒンジ部３４の端部と平行な水平、すなわち上下方向に対して直角に形成されている。
【００１９】
前記装飾部材２６の上框２７ａおよび下框２７ｂには、装飾部材２６が所定角度例えば６０度程度の開位置の時に内ヒンジ部３４の脚部３６を上下方向に挿通し得るスリット部３８を有する例えばアルミ製の端部規制部材３９，３９がそれぞれ固定されており、装飾部材２６が閉位置にある時にはこの端部規制部材３９の端部が内ヒンジ部３４の脚部３６の端部に当接していることにより、装飾部材２６が上下方向に動いたり、自重で下方に脱落したりしないように構成されている。前記端部規制部材３９には、内ヒンジ部３４およびネジ３７の頭部３７ａを上下方向に挿通可能な孔部４０が形成されている。
【００２０】
そして、前記装飾部材２６を閉位置に固定する手段として、戸体３の室内側から閉位置の装飾部材２６、好ましくはその戸先側の縦框２７ｃに対して固定ネジ４１が捩じ込まれている。戸体３には固定ネジ４１を挿通する図示しない孔部が形成されている。装飾部材２６を閉位置に固定している固定ネジ４１を緩めて固定を解除することにより、装飾部材２６を開くことができ、装飾部材２６を開くことにより装飾部材２６で覆われていたガラス９の表面やパネル２５の裏面等を容易に清掃することができる。固定ネジ４１が戸体３の室内側から捩じ込まれて装飾部材２６を固定しているため、外部から装飾部材２６を開いて悪戯される恐れが無い。なお、図１〜図３において、４２は戸体３に設けられた室内側の把手、４３は室外側の把手である。
【００２１】
以上の構成からなるドア（開口部装置）１によれば、建物の開口に設けられる枠体２と、この枠体２内に開閉自在に設けられる戸体３とを備え、前記戸体３にはガラス９を装着した採光部１０が設けられ、前記戸体３の室外面には前記採光部１０を覆うように透光性を有するパネル２５を装着した装飾部材２６が設けられているため、戸体３を室外側から見た場合の外観ないし意匠性の向上が図れる。また、前記装飾部材２６が戸体３に対して開閉可能に設けられているため、装飾部材２６に覆われ雨水や埃等の浸入により汚れているガラス９の表面やパネル２５の裏面等の汚れを装飾部材２６を開くことにより容易に清掃ないし掃除することができるようになり、清掃性の向上が図れる。
【００２２】
前記装飾部材２６を閉位置に固定する手段として、戸体３の室内側から閉位置の装飾部材２６に対して固定ネジ４１が捩じ込まれているため、外部から装飾部材２６を開いて悪戯される恐れが無く、また、固定ネジ４１を緩めて固定を解除するだけで装飾部材２６を容易に開くことが可能となる。
【００２３】
図８はパネルをパンチングメタルとした変形実施例を示す開口部装置の室外側正面図である。図８において、図１と同一部分は同一参照符号を付して説明を省略し、異なる部分について説明を加えると、装飾部材２３に装着されているパネル２５がパンチングメタルからなっている。このパンチングメタルからなるパネル２５は、例えばアルミパネル等の金属パネルに採光部である円形等の複数の透孔（貫通穴）４４を設け、装飾性の向上が図れている。このパネル２５は、前記ガラスパネルの代りに框体２７の装着溝３２にグレーチングチャンネル３３を介して装着されている。本実施例のドア（開口部装置）においても、前記実施例と同様の作用効果を奏することができる。
【００２４】
以上、本発明の実施の形態を図面により詳述してきたが、本発明は前記実施の形態に限定されるものではなく、本発明の要旨を逸脱しない範囲での種々の設計変更等が可能である。例えば、ドアは両開きドアや親子ドア等であっても良い。また、開口部装置として、ドア以外に、例えば引戸等であっても良い。室内側額縁におけるカバー材および装飾部材における框体のコーナー部（隅角部）の継目方式としては、留めが好ましいが、留め以外であっても良い。
【００２５】
【発明の効果】
以上要するに本発明の開口部装置によれば、建物の開口に設けられる枠体と、この枠体内に開閉自在に設けられる戸体とを備え、前記戸体にはガラスを装着した採光部が設けられ、前記戸体の室外面には前記採光部を覆うように採光部を有するかまたは透光性を有するパネルを装着した装飾部材が設けられ、この装飾部材が戸体に対して開閉可能に設けられているため、意匠性の向上が図れると共に、装飾部材に覆われているガラスの表面やパネルの裏面等の汚れを装飾部材を開くことにより容易に清掃することができ、清掃性の向上が図れる。
【図面の簡単な説明】
【図１】本発明に係る開口部装置の実施の形態を示す図で、（ａ）は室内側正面図、（ｂ）は室外側正面図である。
【図２】戸体の縦断面図である。
【図３】戸体の横断面図である。
【図４】図２のＡ部拡大断面図である。
【図５】図３のＢ部拡大断面図である。
【図６】図３のＣ部拡大断面図である。
【図７】ヒンジ部上端の固定構造を示す分解斜視図である。
【図８】パネルをパンチングメタルとした変形実施例を示す開口部装置の室外側正面図である。
【符号の説明】
１　ドア（開口部装置）
２　枠体
３　戸体
９　ガラス
１０　採光部
２５　パネル
２６　装飾部材
４４　透孔（採光部）
【図１】
2004027639.tif 000003
【図２】
2004027639.tif 000004
【図３】
2004027639.tif 000005
【図４】
2004027639.tif 000006
【図５】
2004027639.tif 000007
【図６】
2004027639.tif 000008
【図７】
2004027639.tif 000009
【図８】
2004027639.tif 000010